(57)【要約】【課題】  画像形成装置において、電源投入時に時間を使うことなく、電源投入後の１枚目から濃度や色味が安定した画像を出力する。【解決手段】  電源投入時は、画像形成装置がしばらく放置された後の状態であることが多く、直近の補正でγＬＵＴ補正テーブルを作成したときの画像特性とは大きく異なり、前回の電源投入時の画像特性に近い。そこで、電源投入後からの最初の画像形成かを判断し（Ｓ２１）、最初の画像形成の場合はγＬＵＴ補正テーブルを電源投入時のγＬＵＴ補正テーブルに置き換える（Ｓ２２）。最初の画像形成でなければ前回の電源投入から電源切断までに行った直近の第２の制御系により得られたγＬＵＴ補正テーブルをそのまま用いる。これにより電源投入後１枚目から濃度や色味を安定させることができる。【選択図】      図２７ 
2005189356.tif 000002
【特許請求の範囲】
【請求項１】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定する、
ことを特徴とする濃度制御方法。
【請求項２】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定する、
ことを特徴とする濃度制御方法。
【請求項３】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定する、
ことを特徴とする濃度制御方法。
【請求項４】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、
ことを特徴とする濃度制御方法。
【請求項５】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、
ことを特徴とする濃度制御方法。
【請求項６】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、
前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、
ことを特徴とする濃度制御方法。
【請求項７】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、
ことを特徴とする濃度制御方法。
【請求項８】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、
ことを特徴とする濃度制御方法。
【請求項９】
画像データに基づいて像担持体上に画像を形成し、前記画像を記録媒体に転写して定着する画像形成装置における濃度制御方法において、
前記像担持体上に形成された画像の画像特性を検出する検出手段と、
画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、
前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、
ことを特徴とする濃度制御方法。
【請求項１０】
前記所定出力枚数以内又は前記所定時間内とは、前記画像形成装置内の雰囲気、前記像担持体、帯電後の前記像担持体表面を露光して静電潜像を形成する露光装置、前記静電潜像を現像する現像器、のうちのいずれかの温度が定常状態になるまでの間である、
ことを特徴とする請求項４ないし９のいずれか１項に記載の濃度制御方法。
【請求項１１】
前記所定出力枚数以内又は前記所定時間内とは、前記像担持体に対して現像を行う現像器内の現像剤が１周送られるのに必要な間である、
ことを特徴とする請求項４ないし９のいずれか１項に記載の濃度制御方法。
【請求項１２】
前記画像形成条件が、前記画像データの濃度補正特性である、
ことを特徴とする請求項１ないし１１のいずれか１項に記載の濃度制御方法。
【請求項１３】
前記濃度補正特性は、前記記録媒体に定着された画像パターンの画像特性を検出し、検出された画像パターンの画像特性に基づいて作成したものであり、
前記濃度補正特性を、前記像担持体上に形成されて前記検出手段によって検出される前記画像パターンの画像特性に基づいて補正する、
ことを特徴とする請求項１２に記載の濃度制御方法。
【請求項１４】
前記画像形成条件が、前記像担持体の帯電電位である、
ことを特徴とする請求項１ないし１３のいずれか１項に記載の濃度制御方法。
【請求項１５】
前記画像形成条件が、前記像担持体の現像バイアスである、
ことを特徴とする請求項１ないし１４のいずれか１項に記載の濃度制御方法。
【請求項１６】
前記画像形成条件が、前記画像形成装置の色ずれ補正値である、
ことを特徴とする請求項１ないし１５のいずれか１項に記載の濃度制御方法。
【請求項１７】
前記像担持体上に順次、複数色の画像を形成する現像器を有し、
前記画像パターンは、各色毎に形成される、
ことを特徴とする請求項１ないし１６のいずれか１項に記載の濃度制御方法。
【請求項１８】
画像データに基づいて像担持体上に画像を形成し、前記画像を記録媒体に転写して定着する画像形成装置において、
前記像担持体上に形成された画像の画像特性を検出する検出手段と、
画像特性を検出するための画像パターンを前記像担持体上に形成するとともに前記検出手段によって検出される前記画像パターンの画像特性に基づいて画像形成条件を補正する制御手段と、を備え、
前記制御手段は、請求項１ないし１７のいずれか記載の濃度制御方法によって濃度制御を行う、
ことを特徴とする画像形成装置。
【発明の詳細な説明】
【技術分野】
【０００１】
本発明は、プリンタ，複写機，ファクシミリ等の画像形成装置及びその画像制御装置に関する。
【背景技術】
【０００２】
プリンタ，複写機，ファクシミリ等の画像形成装置（例えば、特許文献１）において、画像処理特性を調整する方法（以下「画像制御方法」という。）として、次のような方法が知られている。
【０００３】
画像形成装置を起動して、そのウォームアップ動作の終了後、特定のパターンを感光ドラムなどの像担持体上に形成する。そして、形成されたパターンの濃度を読み取り、読み取った濃度値に基づき、γ補正回路（ガンマ補正回路）などの画像形成条件を決定する回路の動作を変更して、形成される画像の品質を安定させる方法がある。
【０００４】
また、環境条件の変動により、画像形成装置の階調特性が変化した場合も、再度、特定のパターンを像担持体上に形成して読み取り、再び、γ補正回路などの画像形成条件を決定する回路にフィードバックすることで、環境条件の変動に応じて画像品質を安定させる方法もある。
【０００５】
また、より安定化を図るために、画像形成動作毎に、又は画像形成動作終了時毎に上述の制御を行う方法も知られている。
【０００６】
また、画像形成装置が長期にわたって使用された場合、像担持体上のパターンを読み取った濃度と、実際にプリントアウトされる画像の濃度とが一致しない場合が発生する。このため、記録材上に特定のパターンを形成し、その濃度値によって画像形成条件を補正する方法が知られている。
【０００７】
【特許文献１】特開平１１−２５８９３１号公報
【発明の開示】
【発明が解決しようとする課題】
【０００８】
上述の方法は、その制御に時間と手間がかかるため、画像形成装置のウォームアップ後に行うと、画像形成装置の電源投入から使用可能状態になるまでの時間が増加してしまう。
【０００９】
そこでウォームアップ後には行わず、その後の画像形成動作時又は画像形成動作終了時に制御を行う方法があるが、この方法は、電源投入後の１枚目の濃度や色味が保証できないという問題があった。
【００１０】
本発明は、上述の問題を解決するためのもので、電源投入時に時間を使うことなく、電源投入後の１枚目から濃度や色味が安定した画像を出力することができる濃度制御方法、及び画像形成装置を提供することを目的とするものである。
【課題を解決するための手段】
【００１１】
請求項１に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定する、ことを特徴とする。
【００１２】
請求項２に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定する、ことを特徴とする。
【００１３】
請求項３に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定する、ことを特徴とする。
【００１４】
請求項４に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、ことを特徴とする。
【００１５】
請求項５に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、ことを特徴とする。
【００１６】
請求項６に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、前記制御手段は、画像形成装置の今回の電源投入時に設定する前記画像形成条件を、前回の電源投入時から電源切断時までに行われた複数回の補正のうちの、前記前回の電源投入時から所定出力枚数以内又は所定時間内に行われた補正の補正結果に基づいて設定する、ことを特徴とする。
【００１７】
請求項７に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、ことを特徴とする。
【００１８】
請求項８に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成動作中毎又は画像形成動作終了毎に前記像担持体上に形成するとともに前記検出手段によって検出される前記画像パターンの画像特性に基づいて画像形成条件を補正する制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、ことを特徴とする。
【００１９】
請求項９に係る発明は、画像データに基づいて像担持体上に画像を形成し、前記画像を記録媒体に転写して定着する画像形成装置における濃度制御方法において、前記像担持体上に形成された画像の画像特性を検出する検出手段と、画像特性を検出するための画像パターンを画像形成装置の電源投入後の最初の画像形成動作中又は画像形成動作終了時に形成するとともに前記検出手段によって検出される前記画像パターンの画像特性に基づいて画像形成条件を補正し、その後も特定のタイミングで前記画像形成条件の補正を行う制御手段と、を備え、前記制御手段は、画像形成装置の今回の電源投入時に設定する前記画像形成条件を、前回の電源投入時から電源切断時までに行われた複数回の補正のうちの、最初の補正の補正結果に基づいて設定するか、前記前回の電源投入時から所定出力枚数以内又は所定時間内に行われた補正の補正結果に基づいて設定するかの判断を、前記画像形成装置の電源切断時間に基づいて行う、ことを特徴とする。
【００２０】
請求項１０に係る発明は、請求項４ないし９のいずれか１項に記載の濃度制御方法において、前記所定出力枚数以内又は前記所定時間内とは、前記画像形成装置内の雰囲気、前記像担持体、帯電後の前記像担持体表面を露光して静電潜像を形成する露光装置、前記静電潜像を現像する現像器、のうちのいずれかの温度が定常状態になるまでの間である、ことを特徴とする。
【００２１】
請求項１１に係る発明は、請求項４ないし９のいずれか１項に記載の濃度制御方法において、前記所定出力枚数以内又は前記所定時間内とは、前記像担持体に対して現像を行う現像器内の現像剤が１周送られるのに必要な間である、ことを特徴とする。
【００２２】
請求項１２に係る発明は、請求項１ないし１１のいずれか１項に記載の濃度制御方法において、前記画像形成条件が、前記画像データの濃度補正特性である、ことを特徴とする。
【００２３】
請求項１３に係る発明は、請求項１２に記載の濃度制御方法において、前記濃度補正特性は、前記記録媒体に定着された画像パターンの画像特性を検出し、検出された画像パターンの画像特性に基づいて作成したものであり、前記濃度補正特性を、前記像担持体上に形成されて前記検出手段によって検出される前記画像パターンの画像特性に基づいて補正する、ことを特徴とする。
【００２４】
請求項１４に係る発明は、請求項１ないし１３のいずれか１項に記載の濃度制御方法において、前記画像形成条件が、前記像担持体の帯電電位である、ことを特徴とする。
【００２５】
請求項１５に係る発明は、請求項１ないし１４のいずれか１項に記載の濃度制御方法において、前記画像形成条件が、前記像担持体の現像バイアスである、ことを特徴とする。
【００２６】
請求項１６に係る発明は、請求項１ないし１５のいずれか１項に記載の濃度制御方法において、前記画像形成条件が、前記画像形成装置の色ずれ補正値である、ことを特徴とする。
【００２７】
請求項１７に係る発明は、請求項１ないし１６のいずれか１項に記載の濃度制御方法において、前記像担持体上に順次、複数色の画像を形成する現像器を有し、前記画像パターンは、各色毎に形成される、ことを特徴とする。
【００２８】
請求項１８に係る発明は、画像データに基づいて像担持体上に画像を形成し、前記画像を記録媒体に転写して定着する画像形成装置において、前記像担持体上に形成された画像の画像特性を検出する検出手段と、画像特性を検出するための画像パターンを前記像担持体上に形成するとともに前記検出手段によって検出される前記画像パターンの画像特性に基づいて画像形成条件を補正する制御手段と、を備え、前記制御手段は、請求項１ないし１７のいずれか記載の濃度制御方法によって濃度制御を行う、ことを特徴とする。
【発明の効果】
【００２９】
本発明によると、画像形成装置の電源投入時に時間を使うことなく、電源投入後の１枚目から画像の濃度や色味を安定させることができる。
【発明を実施するための最良の形態】
【００３０】
以下、図面に沿って、本発明の実施の形態について説明する。なお、各図面において同一の符号を付したものは、同一の構成又は作用をなすものであり、これらについての重複説明は適宜省略した。
【００３１】
＜実施の形態１＞
［画像形成装置の全体構成］
図１に、本発明に係る画像形成装置の一例を示す。同図に示す画像形成装置は、電子写真方式の４色フルカラーの複写機であり、同図はその概略構成を示す縦断面である。同図に示す複写機（以下「画像形成装置」という。）は、原稿の画像を読み取るリーダ部Ａとその下方に配設されたプリンタ部Ｂとを備えている。以下、リーダ部Ａ、プリンタ部Ｂ、画像処理部の構成の順に説明する。
【００３２】
●リーダ部
図１に示すように、原稿１０１は、その原稿面を下方に向けた状態でリーダ部Ａの原稿台ガラス１０２上に載置され、光源１０３によって照射される。原稿１０１からの反射光は、光学系１０４を介してＣＣＤセンサ１０５に結像する。ＣＣＤセンサ１０５は、３列に配置されたレッド，グリーン，ブルーのＣＣＤラインセンサ群によって構成されており、ラインセンサ毎にレッド，グリーン，ブルーの色成分信号が生成される。これら読取光学系ユニットは、図１中の矢印方向に移動され、原稿１０１の画像をライン毎の電気信号に変換する。
【００３３】
原稿台ガラス１０２上には、原稿１０１の１辺を当接させて原稿１０１の斜め配置を防ぐ位置決め部材１０７と、ＣＣＤセンサ１０５の白レベルを決定し、ＣＣＤセンサ１０５のスラスト方向のシェーディング補正を行うための基準白色板１０６とが配置されている。
【００３４】
ＣＣＤセンサ１０５によって得られる画像信号は、画像処理部（リーダ画像処理部）１０８によって画像処理されてプリンタ部Ｂに送られ、プリンタ制御部（制御手段）１０９で処理される。
【００３５】
図２（ａ）は、画像処理部（制御手段）１０８における画像信号の流れを示すブロック図である。
【００３６】
図２（ａ）に示すように、ＣＣＤセンサ１０５から出力される画像信号は、アナログ信号処理回路２０１に入力され、ゲイン及びオフセットが調整された後、Ａ／Ｄ変換器２０２により、各色８ビットのデジタル画像信号Ｒ１，Ｇ１，Ｂ１に変換される。画像信号Ｒ１，Ｇ１，Ｂ１は、シェーディング補正回路２０３に入力され、色毎に基準白色板１０６の読取信号を用いた公知のシェーディング補正が施される。
【００３７】
クロック発生部２１１は、１画素単位のクロックＣＬＫを発生する。また、アドレスカウンタ２１２は、ＣＬＫを計数し、１ライン毎に主走査アドレス信号を生成し出力する。デコーダ２１３は、主走査アドレス信号をデコードして、シフトパルスやリセットパルスなどのライン単位のＣＣＤ駆動信号と、ＣＣＤ１０５が出力する１ライン分の読取信号中の有効領域を表す信号ＶＥと、ライン同期信号ＨＳＹＮＣとを生成する。なお、アドレスカウンタ２１２はＨＳＹＮＣでクリアされ、次ラインの主走査アドレスの計数を開始する。
【００３８】
ＣＣＤ１０５の各ラインセンサは、副走査方向に互いに所定の距離を隔てて配置されている。このためラインディレイ２０４により、副走査方向の空間的ずれが補正される。具体的には、Ｂ信号に対してＲ信号及びＧ信号を副走査方向にライン遅延させることで、ＲＧＢ信号の空間的位置を合わせている。
【００３９】
入力マスキング回路２０５は、ＣＣＤ１０５のＲＧＢフィルタの分光特性で決まる入力画像信号の色空間（読取色空間）を、図２（ｂ）の式（１）に示すマトリクス演算により、所定の色空間（例えばｓＲＧＢやＮＴＳＣの標準色空間）に変換する。
【００４０】
ＬＯＧ変換回路２０６は、ルックアップテーブルＲＯＭにより構成され、Ｒ４，Ｇ４，Ｂ４の輝度信号をＣ０，Ｍ０，Ｙ０の濃度信号に変換する。ライン遅延メモリ２０７は、黒文字判定部（不図示）により、Ｒ４，Ｇ４，Ｂ４画像信号からＵＣＲ，ＦＩＬＴＥＲ，ＳＥＮなどの判定信号が生成され出力されるまでのライン遅延分だけ、Ｃ０，Ｍ０，Ｙ０画像信号を遅延させる。
【００４１】
マスキングＵＣＲ回路２０８は、入力されるＹ１，Ｍ１，Ｃ１の３原色信号から黒信号Ｂｋを抽出し、さらに、プリンタ部Ｂの記録色材の色濁りを補正する演算を行い、各読取動作毎にＹ２，Ｍ２，Ｃ２，Ｂｋ２画像信号を、順次、所定のビット幅（例えば８ビット）で出力する。γ補正回路（ガンマ補正回路）２０９は、画像信号を、プリンタ部Ｂの理想的な階調特性に合わせるべく濃度補正する。また、出力フィルタ２１０は、画像信号にエッジ強調又はスムージング処理を施す。
【００４２】
これらの処理によって得られるＭ４，Ｃ４，Ｙ４，Ｂｋ４の面順次の画像信号は、プリンタ制御部１０９に送られ、パルス幅変調されたパルス信号に変換され、プリンタ部Ｂによる濃度記録が行われる。
【００４３】
また、ＣＰＵ２１４は、ＲＡＭ２１５をワークメモリとして、ＲＯＭ２１６に格納されたプログラムに従い、リーダ部Ａの制御や画像処理を行う。オペレータは、操作部２１７によってＣＰＵ２１４への指示や処理条件を入力する。表示器２１８は、画像形成装置の動作状態や設定された処理条件などを表示する。
【００４４】
図３は、画像処理部１０８における各信号のタイミングチャートである。
【００４５】
図３において、ＶＳＹＮＣは、副走査方向の画像有効区間信号であり、論理‘１’の区間において画像読取（スキャン）を行って、順次、Ｃ，Ｍ，Ｙ，Ｂｋの出力信号が生成される。ＶＥは、主走査方向の画像有効区間信号で、論理‘１’の区間において主走査開始位置のタイミングがとられ、主にライン遅延のライン計数制御に用いられる。ＣＬＫは画素同期信号であり、‘０’→‘１’の立ち上がりタイミングで画像データが転送される。
【００４６】
●プリンタ部
図１に示すように、プリンタ部Ｂは、像担持体としてドラム形の電子写真感光体（以下「感光ドラム」という。）４を備えている。感光ドラム４は、駆動手段（不図示）によって矢印Ｒ４方向に所定のプロセススピード（周速度）で回転駆動され、その表面が、一次帯電器８により所定の極性・電位に一様に帯電される。プリンタ制御部１０９は、入力される画像データに応じたパルス信号をレーザドライバ２６（図４参照）によって出力する。露光装置としてのレーザ光源（レーザ発信装置）１１０は、入力されるパルス信号に応じたレーザ光を出力する。レーザ光は、ポリゴンミラー１及びミラー２に反射され、帯電された感光ドラム４の表面を走査する。レーザ光の走査によって感光ドラム４の表面には静電潜像が形成される。
【００４７】
感光ドラム４の表面に形成された静電潜像は、現像器３によってマゼンタ（Ｍ），シアン（Ｃ），イエロー（Ｙ），ブラック（Ｂｋ）の各色毎に、各色のトナーで現像される。本実施の形態では、二成分系のトナーを用い、感光ドラム４の周りに各色の現像器が感光ドラム４の回転方向に沿って上流側からブラック，イエロー，シアン，マゼンタの順に配置されている。これら４色の現像器のうち、画像形成色に応じた現像器が、感光ドラム４に接近して静電潜像にトナーを付着させ、トナー像（画像）として現像する。
【００４８】
記録材（記録媒体：例えば、シート状の紙や透明フィルム）６は各色成分毎に矢印Ｒ５方向に１回転する転写ドラム５に巻き付けられ、合計４回転することで各色のトナー像が転写され重畳される。記録材６は、転写が終了すると転写ドラム５から分離され、定着ローラ対７による加熱・加圧によって、表面にトナー像が定着される。これにより、４色フルカラーの画像プリントが完成する。
【００４９】
また、感光ドラム４の周辺には、現像器３の上流側に感光ドラム４の表面電位を測る表面電位センサ１２が配設され、一次帯電器８の上流側に、感光ドラム４上の転写されなかった残トナーをクリーニングするためのクリーナ９が配設され、さらに現像器３の下流側に、感光ドラム４上に形成されたパッチ（濃度検出用のトナー像）の反射光量を検出するためのＬＥＤ光源１０及びフォトダイオード１１が配設されている。
【００５０】
図４はプリンタ部Ｂの構成例を示すブロック図である。
【００５１】
プリンタ制御部１０９は、ＣＰＵ２８、ＲＯＭ３０、ＲＡＭ３２、テストパターン記憶部３１、濃度換算回路４２、ＬＵＴ（γＬＵＴ）２５、レーザドライバ２６等によって構成されていて、リーダ部Ａ及びプリンタエンジン１００と通信可能である。ＣＰＵ２８は、プリンタ部Ｂの動作を制御するとともに、一次帯電器８のグリッド電位や現像器３の現像バイアスを制御する。
【００５２】
プリンタエンジン１００は、感光ドラム４や、その周囲に配置された、ＬＥＤ１０及びフォトダイオード１１からなるフォトセンサ（検出手段）４０、一次帯電器８、レーザ光源１１０、表面電位センサ１２、現像器３などから構成されている。さらに、画像形成装置内の空気中の水分量（又は温湿度）を測定する環境センサ３３を備えている。
【００５３】
●画像処理部の構成
図５は、階調画像を得るための画像処理部１０８の構成例を示すブロック図である。
【００５４】
ＣＣＤ１０５によって得られた画像の輝度信号は、画像処理部１０８において面順次の濃度信号に変換される。変換後の濃度信号は、初期設定時のプリンタのγ特性（ガンマ特性）に応じた信号になるように、つまり原画像の濃度と出力画像の濃度とが一致するように、ＬＵＴ（γＬＵＴ）２５によって特性が補正される。
【００５５】
図６は、階調が再現されるようすを示す４限チャートである。第Ｉ象限は原画像の濃度を濃度信号に変換するリーダ部Ａの読取特性を、また第II象限は濃度信号をレーザ出力信号に変換するためのＬＵＴ２５の変換特性を、さらに第III 象限はレーザ出力信号を出力画像の濃度に変換するプリンタ部Ｂの記録特性を、そして第IV象限は原画像の濃度と出力画像の濃度との関係を、それぞれ示している。この４限チャート全体は、図１に示す画像形成装置のトータルの階調再現特性を示すものである。なお、８ビットのデジタル信号で処理するとして、階調数が２５６階調の場合を示している。
【００５６】
画像形成装置トータルの階調特性、つまり第IV象限の階調特性をリニアにするために、第III 象限のプリンタ特性がノンリニアな分を第II象限のＬＵＴ２５によって補正する。ＬＵＴ２５により、階調特性が変換された画像信号は、レーザドライバ２６（図５参照）のパルス幅変調（ＰＷＭ）回路２６ａによってドット幅に対応するパルス信号に変換され、レーザ光源１１０のオン／オフを制御するＬＤドライバ２６ｂへ送られる。なお、本実施の形態では、Ｙ，Ｍ，Ｃ，Ｂｋの全色ともにパルス幅変調による階調再現方法を用いている。
【００５７】
そして、レーザ光源１１０から出力されるレーザ光の走査によって感光ドラム４上には、ドット面積の変化により階調が制御された、所定の階調特性を有する静電潜像が形成され、その後、前述の現像、転写、定着というプロセスを経て階調画像が再生される。
【００５８】
［第１の制御系］
次に、記録材６に画像を形成する画像制御として、リーダ部Ａ及びプリンタ部Ｂの双方を含む系の画像再現特性の安定化に関する第１の制御系について説明する。
【００５９】
まず、リーダ部Ａを用いてプリンタ部Ｂをキャリブレーションする制御系について説明する。
【００６０】
図７は、キャリブレーションの一例を示すフローチャートである。キャリブレーションは、リーダ部Ａを制御するＣＰＵ２１４及びプリンタ部Ｂを制御するＣＰＵ２８の協働により実現される。
【００６１】
オペレータが操作部２１７（図２（ａ）参照）に設けられた例えば「自動階調補正」というモード設定ボタンを押すと、図７に示すキャリブレーションがスタートする。なお、表示器２１８は、図８〜図１０に示すように、タッチセンサ付きの液晶操作パネル（タッチパネルディスプレイ）で構成されている。
【００６２】
まず、表示器２１８に、図８（ａ）に示すテストプリント１のスタートボタンである「テストプリント１」ボタン８１が現れる。オペレータが「テストプリント１」ボタン８１を押すと、図１１に示すテストプリント１がプリンタ部Ｂによってプリントアウトされる（図７のＳ１）。なお、プリント中の表示は図８（ｂ）に示すようになる。その際、ＣＰＵ２１４は、テストプリント１を形成するための記録材６の有無を判断し、無い場合は図８（ｂ）に示すような警告を表示部２１８に表示する。
【００６３】
テストプリント１を形成する際のコントラスト電位は、環境に応じた標準状態のものを初期値として登録し、これを用いる。また、画像形成装置は、複数の記録材カセット、例えばＢ４，Ａ３，Ａ４，Ｂ５などサイズの記録材６をそれぞれ個別に収納する記録材カセットを備えていて、これらから所望のサイズの記録材６を選択することができるようになっている。ただし、本実施の形態では、この制御で使用する記録材６は、後の読取作業で、縦置き、横置きを間違えるエラーを避けるために、いわゆるラージサイズ紙、すなわち、Ｂ４，Ａ３，１１×１７，ＬＧＲ等を使用するように設定されている。
【００６４】
図１１に示すテストパターン１には、Ｙ，Ｍ，Ｃ，Ｂｋの４色分の中間階調濃度による、帯状のパターン６１が含まれる。このパターン６１を目視検査することで、筋状の異常画像、濃度むら、色むらがないことを確認する。パッチパターン６２、図１２に示す階調パターン７１，７２のサイズは、ＣＣＤセンサ１０５のスラスト方向の読取範囲に入るように設定されている。
【００６５】
目視検査で、もし異常が認められた場合は、再度、テストプリント１をプリントし、再度、異常が認められる場合はサービスマンコール、つまりサービスマンを呼んでメンテナンスを行う必要がある。なお、帯パターン６１を、リーダ部Ａで読み取り、スラスト方向の濃度情報に基づき以後の制御を行うか否かの判断を自動的に下すことも可能である。
【００６６】
一方、パッチパターン６２は、Ｙ，Ｍ，Ｃ，Ｂｋの各色の最大濃度パッチ、つまり濃度信号値２５５に相当するパッチパターンである。
【００６７】
次に、オペレータは、テストプリント１を原稿台ガラス１０２に、図１３に示すように載置して、図９（ａ）に示す「読み込み」ボタン９１を押す。その際、図９（ａ）に示すように、オペレータ用の操作ガイダンスが表示器２１８に表示される。
【００６８】
図１３は原稿台１０２を上部から見た図であり、同図中の左上の楔型のマークＴが原稿当接用のマークである。帯パターン６１の角Ｐ１が当接マークＴ側に配置されるように、かつ、プリントの表裏を間違えないように、表示器２１８には操作ガイダンスのメッセージが表示される。つまり、操作ガイダンスには、テストプリント１の配置エラーによる誤った制御を防ぐ目的がある。
【００６９】
パッチパターン６２を読み取る際は、当接マークＴから徐々に走査すると、最初の濃度ギャップ点Ｇ１が帯状パターン６１の角Ｐ１で得られる。濃度ギャップ点Ｇ１の座標からパッチパターン６２の各パッチの相対位置を割り出し、パッチパターン６２の濃度を読み取る（図７のＳ２）。なお、テストプリント１の読取中は、図９（ｂ）に示すような表示を行い、テストプリント１の向きや位置が不正で、読取不能の場合は図９（ｃ）に示すようなメッセージを表示し、オペレータにテストプリント１の配置を修正させて「読み込み」ボタン９１を押させることで、再びテストプリント１を読み取る。
【００７０】
パッチパターン６２から得られたＲＧＢ値を、光学濃度に換算するためには次式（２）を用いる。市販の濃度計と同じ値にするために補正係数ｋで調整する。また、別途ＬＵＴを用意して、ＲＧＢの輝度情報をＭＣＹＢｋの濃度情報に変換してもよい。
【００７１】
Ｍ  ＝−ｋｍ×ｌｏｇ１０（Ｇ／２５５）
Ｃ  ＝−ｋｃ×ｌｏｇ１０（Ｒ／２５５）
Ｙ  ＝−ｋｙ×ｌｏｇ１０（Ｂ／２５５）
Ｂｋ＝−ｋｋ×ｌｏｇ１０（Ｇ／２５５）……（２）
【００７２】
次に、得られた濃度情報から最大濃度を補正する方法を説明する。図１５は感光ドラム４の相対ドラム表面電位と、上述の演算によって得られる画像濃度との関係を示す図である。
【００７３】
テストプリント１をプリントした際のコントラスト電位（現像バイアス電位と、感光ドラム４が一次帯電された後に最大の信号値（８ビットならば２５５）で変調されたレーザ光により感光された感光ドラム４の表面電位との差）が図１５に示すＡで、パッチパターン６２から得られた濃度がＤＡである。
【００７４】
最大濃度領域では、相対ドラム表面電位に対する画像濃度が、図１５に実線Ｌに示すように、リニアに対応することがほとんどである。ただし、二成分現像系では、現像器３内のトナー濃度が変動して下がった場合、図１５に破線Ｎで示すように、最大濃度領域で相対ドラム表面電位に対する画像濃度がノンリニアになる場合がある。したがって、図１５の例では、最終的な最大濃度の目標値を１．６するが、０．１のマージンを見込んで、最大濃度の制御目標値を１．７に設定して、制御量を決定する。ここでのコントラスト電位Ｂは、次式から求める。
【００７５】
Ｂ＝（Ａ＋Ｋａ）×１．７／ＤＡ……（３）
【００７６】
（３）式においてＫａは補正係数で、現像方式の種類によって、その値を最適化するのが好ましい。
【００７７】
電子写真方式のコントラスト電位は、環境に応じて設定しないと原画像と出力画像の濃度が合わず、先に説明した画像形成装置内の水分量をモニタする環境センサ３３の出力（つまり絶対水分量）に基づき、図１６に示すように、最大濃度に対応するコントラスト電位を設定する。
【００７８】
したがって、コントラスト電位を補正するために、次式（４）に示す補正係数Ｖｃｏｎｔ．ｒａｔｅｌをバックアップされたＲＡＭなどに保存しておく。
【００７９】
Ｖｃｏｎｔ．ｒａｔｅｌ＝Ｂ／Ａ……（４）
【００８０】
画像形成装置は、例えば３０分毎に、環境センサ３３により、環境の水分量をモニタする。そして、水分量の検知結果に基づき、Ａの値を決定する度にＡ×Ｖｃｏｎｔ．ｒａｔｅｌを算出して、コントラスト電位を求める。
【００８１】
次に、コントラスト電位から、グリッド電位及び現像バイアス電位を求める方法を簡単に説明する。図１７はグリッド電位と感光ドラム４の表面電位との関係を示す図である。
【００８２】
グリッド電位を−２００Ｖにセットして、最小の信号値で変調したレーザ光で感光された感光ドラム４の表面電位ＶＬ、及び最大の信号値で変調したレーザ光で感光された感光ドラム４の表面電位ＶＨを表面電位センサ１２で測定する。同様に、グリッド電位を−４００ＶにしたときのＶＬ及びＶＨを測定する。そして、−２００Ｖのデータと−４００Ｖのデータとを、補間、外挿することで、グリッド電位と表面電位との関係を求める。なお、この電位データを求めるための制御を電位測定制御と呼ぶ。
【００８３】
次に、ＶＬから、画像にトナーかぶりが発生しないように設定されたＶｂｇ（例えば１００Ｖ）の差を設けて現像バイアスＶＤＣを設定する。コントラスト電位Ｖｃｏｎｔは、現像バイアスＶＤＣとＶＨの差分電圧で、Ｖｃｏｎｔが大きいほど最大濃度が大きくなるのは上述したとおりである。
【００８４】
計算で求めたコントラスト電位Ｂを得るためのグリッド電位及び現像バイアスは、図１７に示す関係から求めることができる。したがって、ＣＰＵ２８は、最大濃度が最終的な目標値より０．１高くなるようにコントラスト電位を求め、そのコントラスト電位が得られるようにグリッド電位及び現像バイアス電位を決定する（図７のＳ３）。
【００８５】
次に、決定されたコントラスト電位が制御範囲内か否かを判断して（Ｓ４）、範囲外の場合は、現像器３などに異常があるものと判断し、対応する色の現像器３がチェックされるようにエラーフラグを立てる。このエラーフラグの状態は、サービスマンが所定のサービスモードで見ることができる。さらに、異常時は、制御範囲内ぎりぎりにコントラスト電位を修正して制御を継続する（Ｓ５）。
【００８６】
このようにして設定されたコントラスト電位が得られるるように、ＣＰＵ２８は、グリッド電位及び現像バイアスを制御する（Ｓ６）。
【００８７】
図２８は、制御後の濃度変換特性を示す図である。本実施の形態では、最大濃度を最終目標値よりも高めに設定する制御により、第III 象限のプリンタ特性は実線Ｊのようになる。仮に、このような制御を行わない場合は、破線Ｈで示すような、最大濃度が１．６に達しないプリンタ特性になる可能性がある。プリンタ特性が破線Ｈの場合は、ＬＵＴ２５によって最大濃度を上げることはできないので、ＬＵＴ２５をどのように設定しても濃度ＤＨと１．６との間の濃度領域は再現不可能である。実線Ｊで示すように、最大濃度をわずかに超えるプリンタ特性であれば、ＬＵＴ２５の補正により、第IV象限のトータル階調特性に示されるように、濃度再現域が保証される。
【００８８】
次に、図１０（ａ）に示すように、表示器２１８にテストプリント２のプリントスタートボタンである「テストプリント２」ボタン１５０が現れる。オペレータが「テストプリント２」ボタン１５０を押すと、図１２に示すテストプリント２がプリントアウトされる（Ｓ７）。なお、プリント中の表示は図１０（ｂ）に示すようになる。
【００８９】
テストプリント２は、図１２に示すように、Ｙ，Ｍ，Ｃ，Ｂｋの各色について、４×１６（６４階調分）パッチのグラデーションパッチ群によって構成される。この６４階調は、全２５６階調のうち、低濃度領域に重点的に割り当て、高濃度領域は間引く。これは、とくにハイライト部における階調特性を良好に調整するためである。
【００９０】
図１２において、パッチパターン７１は解像度２００ｌｐｉ（ライン／インチ）のパッチ群、パッチパターン７２は解像度４００ｌｐｉのパッチ群である。各解像度の画像形成は、パルス幅変調回路２６ａ（図５参照）において処理対象の画像信号との比較に用いる三角波などの信号の周期を複数用意することで実現される。
【００９１】
なお、本実施の形態の画像形成装置は、上述した黒文字判定部の出力信号に基づき、写真画像などの階調画像を２００ｌｐｉで、また文字や線画などを４００ｌｐｉで形成する。この２種類の解像度で同一の階調レベルのパターンを出力してもよいが、解像度の違いが階調特性に大きく影響する場合は、解像度に応じた階調レベルのパターンを出力することが好ましい。
【００９２】
なお、テストプリント２は、ＬＵＴ２５を作用させず、パターンジェネレータ２９から発生される画像信号に基づきプリントされる。
【００９３】
図１４は、テストプリント２が載置された原稿台ガラス１０２を上方から見た図である。Ｂｋのパッチパターンが、当接マークＴ側になるように、かつ、表裏を間違えないように、表示部２１８にメッセージを表示して（図１０（ｃ）参照）、テストプリント２の配置エラーによる制御エラーを防ぐ。
【００９４】
パッチパターン７１，７２を読み取る際は、当接マークＴから徐々に走査すると、最初の濃度ギャップ点Ｇ２がパッチパターン７２の角Ｐ２（図１２，図１４参照）で得られる。濃度ギャップ点Ｇ２の座標からパッチパターン７１，７２の各パッチの相対位置を割り出し、パッチパターン７１，７２の濃度を読み取る（図７のＳ８）。なお、テストプリント２の読取中は図１０（ｄ）に示すような表示を行う。
【００９５】
１つのパッチ（例えば図１２に示すパッチ７３）の読取値は、図１８に示すように、パッチ７３の内部に１６点をとり、１６点を読んで得られた値の平均にする。なお、読取点の数は読取装置及び画像形成装置によって最適化するのが好ましい。
【００９６】
図１９は、各パッチから得られたＲＧＢ信号を、先に示した光学濃度への変換方法により濃度値に変換した出力濃度とレーザ出力レベル（画像信号の値）との関係を示す図である。そして、図１９の右側の縦軸に示すように、記録材６の下地濃度（例えば０．０８）を０レベルとし、最大濃度の目標値１．６０を２５５レベルに正規化する。
【００９７】
もし、読み取られたパッチの濃度が、図１９にＣ点で示すように、特異的に高かったり、Ｄ点に示すように、特異的に低かったりする場合は、原稿台ガラス１０２上の汚れやテストパターンの不良が考えられる。その場合、データ列の連続性を保つため、データ列の傾きにリミッタをかけて補正する。例えば、データ列の傾きが３を超える場合は傾きを３に固定し、傾きがマイナスになるデータは、１つ低濃度のパッチと同じ値にする。
【００９８】
ＬＵＴ２５には、図１９に示される特性とは逆の変換特性を設定すればよい（図７のＳ９）。つまり、濃度レベル（図１９の縦軸）を入力レベル（図６の濃度信号）に、レーザ出力レベル（図１９の横軸）を出力レベル（図６のレーザ出力信号）にすればよい。パッチに対応しないレベルについては補間演算により値を求める。その際、零の入力レベルに対しては零の出力レベルになるように条件を設ける。
【００９９】
以上で、第１の制御系によるコントラスト電位の制御及びγＬＵＴ補正テーブルの作成が完了し、表示器２１８は図１０（ｅ）に示すような表示になる。
【０１００】
［階調性の補足制御］
次に、上述の第１の制御系による制御後の階調性の補正について説明する。
【０１０１】
本実施の形態の画像形成装置は、先のコントラスト電位制御により、環境変動に対する最大濃度の補正を行うが、さらに、階調性の補正（「階調性の補足制御」と呼ぶ）を行う。
【０１０２】
第１の制御系が無効にされた状態で環境変化が生じた場合などを考慮して、ＲＯＭ３０には、図２０に示すように、環境（例えば水分量１ｇ／ｍ３，７．５ｇ／ｍ３，１５ｇ／ｍ３）に応じたＬＵＴ２５のテーブルデータが格納されている。
【０１０３】
そして、第１の制御系による制御を行い、その結果、得られたＬＵＴ２５のテーブルデータ（「ＬＵＴ１」と呼ぶ）、及びその際の水分量をＲＡＭ３０のバッテリバックアップされた領域などに保存しておく。なお、ＲＡＭ３０に保存された水分量に対応するＲＯＭ３０のテーブルデータをＬＵＴＡと呼ぶ。
【０１０４】
以降、環境が変化する度に、その時点の水分量に対応するＲＯＭ３０のテーブルデータ（「ＬＵＴＢ」と呼ぶ）を取得し、ＬＵＴＡ及びＬＵＴＢを用いて、次式のようにＬＵＴ１を補正する。すなわち、水分量の変化に相当するＬＵＴＢとＬＵＴＡとの差分を、ＬＵＴ１に加えることで、第１の制御系による制御を行わずに、適切なＬＵＴ２５のテーブルデータＬＵＴｐｒｅｓｅｎｔを次式（５）から求めることができる。
【０１０５】
ＬＵＴｐｒｅｓｅｎｔ＝ＬＵＴ１＋（ＬＵＴＢ−ＬＵＴＡ）…（５）
このような補足制御により、画像形成装置の入出力特性はリニアに補正され、その結果、画像形成装置毎の濃度階調特性ばらつきが抑制され、標準状態の設定が容易にできる。
【０１０６】
このような補足制御を画像形成装置のユーザに解放することで、画像形成装置の階調特性が悪くなったと判断された時点で、必要に応じて階調制御を行うことができ、リーダ／プリンタの双方を含む系の階調特性を容易に補正することができる。
【０１０７】
さらに、上述したような環境変動に対する補正をも適切に行うことができる。
【０１０８】
もちろん、サービスマンは第１の制御系の有効／無効を切り替えることができるので、画像形成装置のメンテナンス時には、第１の制御系を無効にして画像形成装置の状態を容易かつ短時間に判断することができる。なお、第１の制御系を無効にした場合、その機種の標準的なコントラスト電位及びＬＵＴ２５のテーブルデータが、ＲＯＭ３０から読み出され、ＣＰＵ２８やＬＵＴ２５へセットされる。したがって、メンテナンス時には、標準の状態からの特性のずれが明白になり、最適なメンテナンスを効率よく行うことができる。
【０１０９】
［第２の制御系］
次に、通常の画像形成中に行われる画像制御である、プリンタ部Ｂ単独の画像再現特性の安定化に関する第２の制御系を説明する。
【０１１０】
第２の制御系は、感光ドラム４上に形成されたパッチの濃度を検出して、ＬＵＴ２５を補正することで画像再現性を安定化させるものである。
【０１１１】
図２１は上述のフォトセンサ４０の出力信号を処理する回路構成例を示すブロック図である。フォトセンサ４０に入力される感光ドラム４からの反射光（近赤外光）は、電気信号に変換される。０〜５Ｖの電気信号は、Ａ／Ｄ変換回路４１により、８ビットのデジタル信号に変換され、濃度換算回路４２によりテーブル４２ａに基づいて濃度情報に変換される。
【０１１２】
なお、本実施の形態で使用するトナーは、イエロー，マゼンタ，シアンの色トナーで、スチレン系共重合樹脂をバインダとして、各色の色材を分散させたものである。また、感光ドラム４は近赤外光（９６０ｎｍ）の反射率が約４０％のＯＰＣドラムであるが、反射率が同程度であればアモルファスシリコン系の感光ドラムなどであってもよい。また、フォトセンサ４０は、感光ドラム４からの正反射光のみを検出するように構成されている。
【０１１３】
図２２は、感光ドラム４上に形成したパッチの濃度を、各色の面積階調により段階的に変えたときの、フォトセンサ４０の出力と出力画像の濃度との関係を示す図である。なお、トナーが感光ドラム４に付着していない状態のフォトセンサ４０の出力を５Ｖ、つまり２５５レベルに設定する。図２２に示されるように、各トナーによる面積被覆率が大きくなり、画像濃度が大きくなるに従いフォトセンサ４０の出力が小さくなる。
【０１１４】
これらの特性から、各色専用の、センサ出力から濃度信号に変換するテーブル４２ａ（図２１参照）を用意することで、各色とも精度よく濃度を読み取ることができる。
【０１１５】
第２の制御系は、第１の制御系により達成される色再現性の安定を維持することが目的であり、第１の制御系による制御の終了直後の状態を目標値に設定する。図２３は目標値設定処理の一例を示すフローチャートである。
【０１１６】
第１の制御系による制御が終了すると（Ｓ１１）、Ｙ，Ｍ，Ｃ，Ｂｋの各色パッチを感光ドラム４上に形成して、その反射光をフォトセンサ４０により読み取り、濃度情報に変換する（Ｓ１２）。そして、第２の制御系の目標値を設定する（Ｓ１３）。
【０１１７】
なお、パッチを形成する際のレーザ出力として、各色とも１２８レベルの濃度信号を用いる。その際、ＬＵＴ２５のテーブルデータ及びコントラスト電位として、第１の制御系で得られたものを用いることは言うまでもない。
【０１１８】
図２４は、感光ドラム４上にパッチを形成するシーケンスを示す図である。
【０１１９】
本実施の形態では比較的口径（直径）が大きい感光ドラムを使用し、正確かつ効率よく短時間に濃度情報を得るために、感光ドラム４の偏心を考慮して、感光ドラム４の中心に対して点対称になる位置に同一色のパッチを形成し、それらパッチを測定して得られる複数の値を平均して、濃度情報を求める。また、感光ドラム４の１周当り２色分のパッチを形成し、図２４に示すように、感光ドラム４を２周させて４色分の濃度情報を得る。そして、画像濃度１２８に対応する濃度情報を第２の制御系の目標値としてＲＡＭ３２などに保存する。この目標値は、第１の制御系による制御が行われる度に更新される。
【０１２０】
第２の制御系は、通常の画像形成中に非画像領域にパッチを形成し、その濃度を検出して、第１の制御系で得られたＬＵＴ２５のテーブルデータを随時補正する制御である。転写ドラム５に巻き付けられる記録材６の隙間部分に対応する、感光ドラム４上の領域が非画像領域になるので、その領域にパッチを形成する。図２５は通常の画像形成中に感光ドラム４上の非画像領域にパッチを形成するシーケンスを示す図であり、Ａ４サイズのフルカラー画像を連続出力する場合の例である。
【０１２１】
パッチを形成する際のレーザ出力は、目標値の設定時と同等であることが重要であり、各色とも１２８レベルの濃度信号を用いる。その際、ＬＵＴ２５のテーブルデータ及びコントラスト電位は、その時点における通常の画像形成時と同等にする。すなわち、γＬＵＴ補正テーブルとして、第１の制御系で得られたＬＵＴ２５のテーブルデータを、前回までの第２の制御系の制御によって補正した結果を用いる。
【０１２２】
１２８レベルの濃度信号は、濃度１．６を２５５に正規化した濃度スケールのＬＵＴ２５によってパッチの濃度が１２８になるように補正されるが、プリンタ部Ｂの画像特性は不安定であり、常に変化を起こす可能性がある。そのため、測定結果の濃度が１２８になるわけではない。この濃度信号と測定結果とのずれΔＤに基づき、第２の制御系では、第１の制御系で作成されたＬＵＴ２５のテーブルデータを補正する。
【０１２３】
図２６は、１２８レベルの濃度信号に対してパッチの濃度のずれがΔＤｘの場合の、一般的な、濃度信号のγＬＵＴ補正テーブルを示す図である。このようなγＬＵＴ補正テーブルをあらかじめＲＯＭ３０などに格納しておき、第２の制御系による制御時に、ΔＤｘがΔＤになるようにγＬＵＴ補正テーブルを規格化し、規格化されたγＬＵＴ補正テーブルの特性を打ち消すテーブルデータを、ＬＵＴ２５のテーブルデータに加えることでＬＵＴ２５を補正する。
【０１２４】
ＬＵＴ２５を書き換える（補正する）タイミングは各色ごとに異なり、書き換え準備ができた段階で、その色のレーザ光走査（感光）が行われていない期間のＴＯＰ信号に基づき書き換えを行う。
【０１２５】
ΔＤは、第２の制御系により、前回、ＬＵＴ２５を用いて形成したパッチから得られる目標値と、今回、ＬＵＴ２５を用いて形成したパッチから得られる濃度とのずれである。しかし、パッチの形成は、毎回、前回の第２の制御系で補正されたＬＵＴ２５を用いるため、読み取られたパッチの濃度と目標値とのずれΔＤｎは、ΔＤとは異なる。そこでΔＤｎの積算値をΔＤとして保存する。
【０１２６】
本発明の特徴は、通常、画像形成は、直近の補正（最近の制御）で作成したγＬＵＴ補正テーブルを用いて行うが、画像形成装置の電源投入後の最初の画像形成時は、直近の補正で作成したγＬＵＴ補正テーブルではなく、前回の電源投入時から電源切断時までに行われた複数回の補正（制御）のうちの、最初の補正で作成したγＬＵＴ補正テーブルを用いることにある。これは、電源投入時は、画像形成装置がしばらく放置された後の状態であることが多く、直近の補正でγＬＵＴ補正テーブルを作成したときの画像特性とは大きく異なっていることが多く、むしろ前回の電源投入時の画像特性に近いことが分かっている。これは放置が、現像剤や感光体に与える影響の再現性が高いからであり、常に規則的な使われ方をする設置環境ほどこの傾向が強い。
【０１２７】
したがって、前回の電源投入後に最初に作成したγＬＵＴ補正テーブルを電源投入時のγＬＵＴ補正テーブルとして保存しておき、次回の電源投入後の最初の画像形成に用いることで、電源投入後１枚目から濃度や色味を安定させることができる。
【０１２８】
図２７はγＬＵＴ補正テーブルを作成する処理を示すフローチャートであり、通常の画像形成の開始に伴い開始される。
【０１２９】
まず、電源投入後からの最初の画像形成かを判断し（Ｓ２１）、電源投入後からの最初の画像形成の場合はγＬＵＴ補正テーブルを電源投入時のγＬＵＴ補正テーブルに置き換える（Ｓ２２）。電源投入後からの最初の画像形成でなければ前回の電源投入から電源切断までに行った直近の第２の制御系により得られたγＬＵＴ補正テーブルをそのままγＬＵＴ補正テーブルとして用いる。このように決めたγＬＵＴ補正テーブルによりＬＵＴ２５のテーブルデータを補正し（Ｓ２３）、補正結果のテーブルデータをＬＵＴ２５に設定し（Ｓ２４）、ＬＵＴ２５を使用して画像を出力する（Ｓ２５）。その際、感光ドラム４にパッチを形成してパッチの濃度を読み取る（Ｓ２６）。そして、ΔＤｎを算出し（Ｓ２７）、積算値ΔＤ＝ΔＤ＋ΔＤｎを得て（Ｓ２８）、γＬＵＴ補正テーブルを作成する（Ｓ２９）。その後、プリントジョブを継続するか否かを判定し（Ｓ３０）、ジョブが継続する場合は処理をステップＳ２３へ戻し、ジョブが終了する場合は処理を終了する。
【０１３０】
第２の制御系は、通常の画像形成中に非画像領域にパッチを形成可能な場合は常に起動される。つまりＡ４サイズのフルカラー画像を連続出力する場合は画像２枚を出力する毎に各色で１度、１枚だけ出力する場合は各色１枚毎にＬＵＴ２５が補正される。
【０１３１】
一方、第１の制御系には人間の作業が伴う。そのため、第１の制御系による制御が頻繁に行われるとは想定し難い。そこで、画像形成装置の設置時にサービスマンが第１の制御系による制御を実行し、出力画像に問題が生じなければ、第２の制御系による制御によってある期間は階調特性を維持し、徐々に階調特性が変化した場合は第１の制御系によるキャリブレーション（制御）を行うようにすることができる。このように階調制御を分担すれば、その結果、画像形成装置が寿命に達するまで、その階調特性を適正に維持することができる。
【０１３２】
また、電源投入時に時間をかけて制御を行うことなく、電源投入後１枚目から安定した画像を出力することができる。
【０１３３】
＜実施の形態２＞
以下、本発明にかかる実施の形態２の画像形成装置を説明する。なお、本実施の形態において、実施の形態１とほぼ同様の構成については、同一符号を付して、その詳細説明を省略するものとする。
【０１３４】
本実施の形態においては、上述の実施の形態１では、電源投入後の最初の画像形成時は、第２の制御系による制御において、前回電源投入時後に最初に作成したγＬＵＴ補正テーブルを用いるとしたが、前回電源投入時後に最初に作成したγＬＵＴ補正テーブルではなく、前回電源投入時後から所定出力枚数又は所定時間中に作成されたγＬＵＴ補正テーブルを用いる場合について説明する。
【０１３５】
実施の形態１で述べたように、放置後の電源投入時の画像特性に最も適当なγＬＵＴ補正テーブルは、前回電源投入時後に最初に作成したγＬＵＴ補正テーブルであるが、最初に作成したγＬＵＴ補正テーブルに限定する必要はなく、電源投入後から所定期間の間であれば、ほぼ同様な状態でγＬＵＴ補正テーブルを作成しており、このγＬＵＴ補正テーブルを用いても安定化制御を達成することができる。何らかの制約により前回電源投入時後に最初に作成したγＬＵＴ補正テーブルを使用できない場合は、本実施の形態で説明する電源投入後から所定期間の間に作成したγＬＵＴ補正テーブルを用いればよい。
【０１３６】
本発明は、放置による画像形成条件の変化を抑えるものであるため、放置状態の影響が残っている間で作成したγＬＵＴ補正テーブルを使用するのであれば、前回作成したγＬＵＴ補正テーブルを使用するよりも安定化を達成できる。上述の所定期間とは放置状態の影響を受けている期間であり、例えば、画像形成装置内の雰囲気又は感光ドラム４、現像器３、レーザ発信装置、レーザスキャナの温度が、通常使用中の定常状態になるまでの間である。または、現像器３内の現像剤が一様に攪拌されるまでの期間として、現像器３内の現像剤が１周送られるのに必要な間とすることもできる。これらの期間は、各画像形成装置の特性に合わせて決めることが重要であり、出力枚数や使用時間などを基準に設定すればよい。
【０１３７】
また、画像形成装置が電源を切断されていた時間を検知し、放置されていた時間が短く、放置の影響がないと判断すれば、電源投入時に設定するγＬＵＴ補正テーブルは、前回作成したγＬＵＴ補正テーブルとする制御を入れることもでき、より精度を向上させることができる。
【０１３８】
なお、本発明は、複数の機器（例えばホストコンピュータ，インタフェイス機器，リーダ，プリンタなど）から構成されるシステムに適用しても、また１つの機器からなる装置（例えば、複写機，ファクシミリ装置など）に適用してもよい。
【０１３９】
また、本発明の目的は、前述した実施の形態の機能を実現するソフトウェアのプログラムコードを記録した記憶媒体（又は記録媒体）を、システムあるいは画像形成装置に供給し、そのシステムあるいは画像形成装置のコンピュータ（又はＣＰＵやＭＰＵ）が記憶媒体に格納されたプログラムコードを読み出し実行することによっても、達成されることは言うまでもない。
【０１４０】
この場合、記憶媒体から読み出されたプログラムコード自体が前述した実施の形態の機能を実現することになり、そのプログラムコードを記憶した記憶媒体は本発明を構成することになる。また、コンピュータが読み出したプログラムコードを実行することにより、前述した実施の形態の機能が実現されるだけでなく、そのプログラムコードの指示に基づき、コンピュータ上で稼働しているオペレーティングシステム（ＯＳ）などが実際の処理の一部又は全部を行い、その処理によって前述した実施の形態の機能が実現される場合も含まれることは言うまでもない。
【０１４１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部又は全部を行い、その処理によって前述した実施の形態の機能が実現される場合も含まれることは言うまでもない。
【０１４２】
本発明を上述の記憶媒体に適用する場合、その記憶媒体には、先に説明したフローチャートに対応するプログラムコードが格納されることになる。
【０１４３】
なお、上述した各実施の形態では、静電潜像やトナー像を坦持する像担持体として感光ドラムを例として挙げたが、その表面に感光層を有するベルト状の像坦持体である感光ベルトにも、本発明を適用可能である。また、トナー像を記録材６やフィルムのような記録媒体へ転写するために、一旦、感光ドラムからトナー像が転写される中間転写体（例えば、中間転写ベルト，中間転写ドラム）を有する画像形成装置にも、本発明は適用可能である。これらの画像形成装置では、第２の制御系の入力情報である濃度情報は、感光ベルトや中間転写体上に形成されたパッチから取得すればよい。
【０１４４】
以上の説明では、本発明を４色フルカラーの電子写真方式の画像形成装置に適用する場合を例に説明したが、本発明はこれに限定されるものではない。例えば、単色（白黒）の電子写真方式の画像形成装置、電子写真方式以外（例えば静電記録方式）の単色及び４色フルカラーの画像形成装置等に上述と同様に適用することが可能であり、適用した場合には、同様の効果を奏することができる。
【図面の簡単な説明】
【０１４５】
【図１】本発明に係る画像形成装置の一例の構成を模式的に示す縦断面図である。
【図２】リーダ画像処理部における画像信号の流れを示すブロック図である。
【図３】画像処理部における各信号のタイミングチャートである。
【図４】プリンタ部の構成例を示すブロック図である。
【図５】階調画像を得るための画像処理部の構成例を示すブロック図である。
【図６】階調が再現されるようすを示す４限チャートである。
【図７】キャリブレーションの一例を示すフローチャート。
【図８】テストプリント１についての、表示器の表示例を示す図である。
【図９】読み込みについての、表示器の表示例を示す図。
【図１０】テストプリント１についての、表示器の表示例を示す図である。
【図１１】テストプリント１の例を示す図である。
【図１２】テストプリント２の例を示す図である。
【図１３】テストプリント１を原稿台ガラスに載置した状態を示す図である。
【図１４】テストプリント２を原稿台ガラスに載置した状態を示す図である。
【図１５】感光ドラムの相対ドラム表面電位と画像濃度との関係を示す図である。
【図１６】絶対水分量とコントラスト電位との関係を示す図である。
【図１７】グリッド電位と表面電位との関係を示す図である。
【図１８】パッチの濃度読取点を説明する図である。
【図１９】テストプリント２から読み取られた濃度とレーザ出力レベルとの関係を示す図である。
【図２０】水分量に応じたＬＵＴを説明する図である。
【図２１】フォトセンサの出力信号を処理する回路構成例を示すブロック図である。
【図２２】パッチの濃度を段階的に変えた時のフォトセンサの出力と出力画像の濃度との関係を示す図である。
【図２３】目標値設定処理の一例を示すフローチャートである。
【図２４】感光ドラム上にパッチを形成するシーケンスを示す図である。
【図２５】通常の画像形成中に感光ドラム上の非画像領域にパッチを形成するシーケンスを示す図である。
【図２６】γＬＵＴ補正テーブルを示す図である。
【図２７】γＬＵＴ補正テーブルを作成する処理を示すフローチャートである。
【図２８】制御後の濃度変換特性を示す図である。
【符号の説明】
【０１４６】
３          現像器
４          像担持体（感光ドラム）
６          記録媒体（記録材）
１０８      制御手段（画像処理部）
１０９      制御手段（プリンタ制御部）
１１０      露光装置（レーザ光源）
【図１】
2005189356.tif 000003
【図２】
2005189356.tif 000004
【図３】
2005189356.tif 000005
【図４】
2005189356.tif 000006
【図５】
2005189356.tif 000007
【図６】
2005189356.tif 000008
【図７】
2005189356.tif 000009
【図８】
2005189356.tif 000010
【図９】
2005189356.tif 000011
【図１０】
2005189356.tif 000012
【図１１】
2005189356.tif 000013
【図１２】
2005189356.tif 000014
【図１３】
2005189356.tif 000015
【図１４】
2005189356.tif 000016
【図１５】
2005189356.tif 000017
【図１６】
2005189356.tif 000018
【図１７】
2005189356.tif 000019
【図１８】
2005189356.tif 000020
【図１９】
2005189356.tif 000021
【図２０】
2005189356.tif 000022
【図２１】
2005189356.tif 000023
【図２２】
2005189356.tif 000024
【図２３】
2005189356.tif 000025
【図２４】
2005189356.tif 000026
【図２５】
2005189356.tif 000027
【図２６】
2005189356.tif 000028
【図２７】
2005189356.tif 000029
【図２８】
2005189356.tif 000030